(57)【要約】  本発明の一実施例による融雪瓦は，主カバー部，前記主カバー部の第１方向の第１縁に位置して上下方向に曲げられた第１バンディング部，前記主カバー部の前記第１縁の反対側である第１方向の第２縁に位置して上下方向に曲げられた第２バンディング部を含む金属瓦と，前記金属瓦の上部又は下部に位置する発熱部と，前記発熱部を前記金属瓦に固定する固定部と，を含み，前記発熱部が発熱して金属瓦を加熱することで金属瓦上の雪を溶かすことができる。【選択図】図１
2017525874.tif 000002
【特許請求の範囲】
【請求項１】
主カバー部，前記主カバー部の第１方向の両側縁に備えられる第１端部及び第２端部，前記第１端部に備えられて上方に曲げられた第１バンディング部，前記第２端部に備えられて下方に曲げられた第２バンディング部を含む金属瓦と，
前記金属瓦の下部に位置する発熱部と，
前記発熱部を前記金属瓦に固定する固定部と，を含み，
前記発熱部が発熱して金属瓦を加熱することで，前記発熱部の熱が金属瓦の上部に伝達されて金属瓦上の雪を溶かす融雪瓦。
【請求項２】
前記発熱部は，
発熱する発熱本体と，
いずれか一つの発熱部を他の一つの発熱部又はケーブルに連結するコネクティング部と，を含み，
前記発熱本体は，
電源が印加されると発熱する発熱体と，
絶縁及び防水可能に前記発熱体の外側を包む絶縁及び防水部を含む請求項１記載の融雪瓦。
【請求項３】
前記金属瓦は前記第１方向に交差する第２方向の両側縁に位置して隣接した金属瓦と重畳する一対の重畳部を含み，
前記発熱本体は前記一対の重畳部のうち少なくともいずれか一つ以上とは重畳されない請求項２記載の融雪瓦。
【請求項４】
前記第１バンディング部又は第２バンディング部のうち少なくとも一つ以上には，外側に向かって突出される電線通過部が形成される請求項１記載の融雪瓦。
【請求項５】
前記第１バンディング部は屋根の傾斜面の上側に向かって配置され，前記第２バンディング部は屋根の傾斜面の下側に向かって配置され，
前記電線通過部は前記第１バンディング部から上部に向かって突出される第１電線通過部を含む請求項４記載の融雪瓦。
【請求項６】
前記第１電線通過部は第２バンディング部に向かって突出される部分を更に含む請求項５記載の融雪瓦。
【請求項７】
前記電線通過部は，前記第２バンディング部から外側に向かって突出される第２電線通過部を更に含む請求項５記載の融雪瓦。
【請求項８】
前記第２電線通過部の下端は上部に凹んで上がるように形成される請求項７記載の融雪瓦。
【請求項９】
前記固定部は前記発熱本体の下部に位置し，前記発熱本体の底面に取り付けられる部分と，前記金属瓦の底面に取り付けられる部分を含む請求項１記載の融雪瓦。
【請求項１０】
前記絶縁及び防水部は，
下面が接着力を有する上側絶縁及び防水部と，
上面が接着力を有する下側絶縁及び防水部を含み，
前記上側絶縁及び防水部は前記発熱体より広い面積を有して発熱体全体をカバー可能に形成され，
前記下側絶縁及び防水部は前記上側絶縁及び防水部より広い面積を有して前記上側絶縁及び防水部全体をカバー可能に形成され，
前記固定部は，
前記下側絶縁及び防水部の前記上側絶縁及び防水部と重畳されずに外側に更に延長される部分を含む請求項１記載の融雪瓦。
【請求項１１】
前記金属瓦は，前記金属部の上部に取り付けられる石粉（stone granule）を更に含む請求項１記載の融雪瓦。
【請求項１２】
金属を瓦状に成形した後，その下部に発熱部を取り付けた第１融雪瓦と，
金属を瓦状に成形した後，その下部に発熱部を取り付け，前記第１融雪瓦と一部が重畳する（overlap）ように配置される第２融雪瓦と，を含み，
前記第１融雪瓦の発熱部と，前記第２融雪瓦の発熱部は融雪瓦の長さ方向に電気的に直列に連結され，
前記第１融雪瓦と前記第２融雪瓦はそれぞれの発熱部が発熱することによって加熱されてそれら瓦上に積もった雪を溶かす屋根融雪システム。
【請求項１３】
金属を瓦状に成形した後，その下部に発熱部を取り付けた第１融雪瓦と，
金属を瓦状に成形した後，その下部に発熱部を取り付け，前記第１融雪瓦と一部が重畳する（overlap）ように配置される第２融雪瓦と，を含み，
前記第１融雪瓦の発熱部と，前記第２融雪瓦の発熱部は融雪瓦の幅方向に電気的に直列に連結され，
前記第１融雪瓦と前記第２融雪瓦はそれぞれの発熱部が発熱することによって加熱されてそれら瓦上に積もった雪を溶かす屋根融雪システム。
【請求項１４】
金属を瓦状に成形した後，その下部に発熱部を取り付けた第１融雪瓦と，
金属を瓦状に成形した後，その下部に発熱部を取り付け，前記第１融雪瓦と一部が重畳（overlap）するように配置される第２融雪瓦と，
第１融雪瓦の発熱部及び第２融雪瓦の発熱部が連結される外部ケーブルと，を含み，
前記外部ケーブルは，長さ方向又は幅方向に延長される屋根融雪システム。
【請求項１５】
第１方向の両側端に位置する第１端部及び第２端部，前記第１方向に交差する第２方向の両側端に位置する第３端部及び第４端部，前記第１端部の近傍に位置する第１バンディング部，前記第２端部の近傍に位置する第２バンディング部，前記第１バンディング部と前記第２バンディング部との間に位置する主カバー部，主カバー部から上方又は下方に陥没して形成される受容部を含む金属瓦と，
前記受容部に受容されて発熱可能な発熱部と，を含む融雪瓦。
【請求項１６】
前記発熱部は，
発熱本体と，隣接した他の発熱部又はケーブルと連結するためのコネクタを含み，
前記発熱本体は前記受容部に受容される請求項１５記載の融雪瓦。
【請求項１７】
前記受容部の開口部をカバーするための蓋部を更に含む請求項１６記載の融雪瓦。
【請求項１８】
前記蓋部には前記コネクタが通過するためのコネクタ通過部が形成される請求項１７記載の融雪瓦。
【請求項１９】
前記受容部の縁には前記受容部より低い高さに段差を有して陥没した段差部が形成され，
前記段差部に前記カバー部が取り付けられる請求項１８記載の融雪瓦。
【発明の詳細な説明】
【技術分野】
【０００１】
本発明は，金属瓦に発熱部を付着して屋根に降り積もった雪を溶かすことができる融雪瓦及びこれを含む屋根融雪システムに関するものである。
【背景技術】
【０００２】
雪が多く降る地域では，屋根に積もった雪のため様々な事故が起こる。雪の重さに絶えず屋根が崩壊することもあれば，作業者が屋根に積もった雪を落とす過程で墜落することもある。また，歩行者が屋根から落ちた雪に埋もれて負傷するか死に至ることもある。
【０００３】
従来は，このような問題を解決するために，屋根の上にヒーティングケーブルを設置する方法が使用されていた。しかし，ヒーティングケーブルの直径が小さいゆえ，ケーブル自体が雪に埋もれてしまい，十分な除雪効果を上げることができない限界があった。
【０００４】
また，屋根の上にヒーティングケーブルがだらしなく配置されて，建物の外観を悪くする短所があった。
【発明の概要】
【発明が解決しようとする課題】
【０００５】
本発明の一実施例による融雪瓦は，前記のような問題を解決するために，屋根が広い面積にわたって発熱して効果的に雪を溶かすことで，屋根に積もる雪を除去するようにすることを目的とする。
【０００６】
また，発熱部が外部に露出されないため，屋根の美観を害しないようにすることを目的とする。
【課題を解決するための手段】
【０００７】
本発明の一実施例による融雪瓦は，主カバー部，前記主カバー部の第１方向の両側縁に備えられる第１端部及び第２端部，前記第１端部に備えられて上方に曲げられた第１バンディング部，前記第２端部に備えられて下方に曲げられた第２バンディング部を含む金属瓦と，前記金属瓦の下部に位置する発熱部と，前記発熱部を前記金属瓦に固定する固定部と，を含み，前記発熱部が発熱して金属瓦を加熱することで，前記発熱部の熱が金属瓦の上部に伝達されて金属瓦上に降り積もった雪を溶かす。
【０００８】
本発明の一実施例による屋根融雪システムは，金属を瓦状に成形した後，その下部に発熱部を取り付けた第１融雪瓦と，金属を瓦状に成形した後，その下部に発熱部を取り付け，前記第１融雪瓦と一部が重畳（overlap）するように配置される第２融雪瓦と，を含み，前記第１融雪瓦の発熱部と，前記第２融雪瓦の発熱部は融雪瓦の長さ方向又は幅方向に電気的に直列に連結され，前記第１融雪瓦と前記第２融雪瓦はそれぞれの発熱部が発熱することによって加熱されてそれら瓦上に積もった雪を溶かす。
【０００９】
本発明の一実施例による屋根融雪システムは，金属を瓦状に成形した後，その下部に発熱部を取り付けた第１融雪瓦と，金属を瓦状に成形した後，その下部に発熱部を取り付け，前記第１融雪瓦と一部が重畳するように配置される第２融雪瓦と，前記第１融雪瓦の発熱部及び前記第２融雪瓦の発熱部が連結される外部ケーブルと，を含み，前記外部ケーブルは長さ方向又は幅方向に延長される。
【００１０】
本発明の他の実施例による融雪瓦は，第１方向の両側端に位置する第１端部及び第２端部，前記第１方向に交差する第２方向の両側端に位置する第３端部及び第４端部，前記第１端部の近傍に位置する第１バンディング部，前記第２端部の近傍に位置する第２バンディング部，前記第１バンディング部と前記第２バンディング部との間に位置する主カバー部，主カバー部から上方又は下方に陥没して形成される受容部を含む金属瓦と，前記受容部に受容されて発熱可能な発熱部と，を含む。
【発明の効果】
【００１１】
本発明によると，屋根が広い面積にわたって発熱するため，効果的な融雪が可能になる。
【００１２】
また，発熱部が外部に露出されないため，屋根の美観を害することがない。
【図面の簡単な説明】
【００１３】
【図１】本発明の一実施例による融雪瓦を示す斜視図である。
【図２】本発明の一実施例による融雪瓦を示す分解斜視図である。
【図３】本発明の一実施例による融雪瓦を底面から見た斜視図である。
【図４】図１Ａ−Ａ線断面図である。
【図５】絶縁及び防水部の他の例を示す断面図である。
【図６】他の形態の固定部が適用された融雪瓦を示す底面図である。
【図７】また他の形態の固定部が適用された融雪瓦を示す底面図である。
【図８】図７に示す融雪瓦を示す分解斜視図である。
【図９ａ】本発明の一実施例による融雪瓦を長さ方向に直列に連結する設置状態を示す図である。
【図９ｂ】本発明の一実施例による融雪瓦を長さ方向に直列に連結する設置状態を示す図である。
【図１０ａ】本発明の一実施例による融雪瓦を幅方向に直列に連結する設置状態を示す図である。
【図１０ｂ】本発明の一実施例による融雪瓦を幅方向に直列に連結する設置状態を示す図である。
【図１１】本発明の一実施例による融雪瓦を幅方向に直列に連結する他の設置状態を示す図である。
【図１２】本発明の一実施例による融雪瓦を底面から見た斜視図である。
【図１３】本発明の一実施例による融雪瓦を長さ方向に並列に連結する設置状態を示す図である。
【図１４】本発明の一実施例による融雪瓦を幅方向に並列に連結する設置状態を示す図である。
【図１５】本発明の一実施例による瓦桟なし（batten less）融雪瓦を長さ方向に直列に連結して設置する構成を示す図である。
【図１６】本発明の一実施例による瓦桟なし型融雪瓦の底面斜視図である。
【図１７】本発明の他の実施例による融雪瓦を示す分解斜視図である。
【図１８】本発明の他の実施例による融雪瓦を示す底面図である。
【図１９】本発明の他の実施例による金属瓦の一部を示す側断面図である。
【図２０】本発明の他の実施例による融雪瓦を示す側断面図である。
【発明を実施するための形態】
【００１４】
以下，添付した図面を参照して，本発明の一実施例による融雪瓦を説明する。
【００１５】
図１は本発明の一実施例による融雪瓦を示す斜視図であり，図２は分解斜視図であり，図３は本発明の一実施例による融雪瓦を底面から見た斜視図であり，図４は図１Ａ−Ａ線断面図である。
【００１６】
図１乃至図４を参照すると，本発明の一実施例による融雪瓦は，金属で形成される金属瓦１００と，前記金属瓦１００の一側に取り付けられる発熱部２００と，前記金属瓦１００を前記発熱部２００に固定する固定部３００を含む。よって，前記発熱部２００の熱が金属瓦１００の上部に伝達され，前記金属瓦３００の上に積もる雪を溶かす。
【００１７】
以下，前記金属瓦１００及び発熱部２００並びに固定部３００のそれぞれの構成をより詳細に説明する。
【００１８】
金属瓦１００は，第１方向（ｘ軸方向）と第２方向（ｙ軸方向）に長く延長される。前記第１方向と前記第２方向は互いに交差する。例えば，互いに直交する。ここで，前記第１方向は屋根面の傾斜方向であって，前記第２方向は傾斜した方向に交差する方向であってもよい。また，前記第１方向は金属瓦又は融雪瓦の幅方向であって，第２方向は長さ方向であってもよい。ここで，長さ方向とは金属瓦１００が相対的に長く延長される方向（ｙ軸方向）を意味し，前記幅方向（ｘ軸方向）とは金属瓦が相対的に短く延長される前記長さ方向に直交する方向を意味する。
【００１９】
金属瓦１００は第１方向（ｘ軸方向）の縁（end）に位置する第１端部（a first end portion）１０５と，前記第１方向に第１縁の反対側に位置する第２端部（a second end portion）１０６と，前記第１方向（ｘ軸方向）と交差する第２方向（ｙ軸方向）の一側端部分に位置する第３端部（a third end portion）１０７と，前記第３端部の第２方向の反対側に位置する第４端部（a forth end portion）１０８と，第１端部１０５近傍に位置する第１バンディング部１０２と，前記第２端部１０６近傍に位置する第２バンディング部１０３と，前記第１バンディング部と前記第２バンディング部との間に位置する主カバー部１０１を含む。
【００２０】
これを更に説明すると，金属瓦１００は相対的に広い面積を有する主カバー部１０１と，前記主カバー部１０１の一側から上方に向かって突出するように折曲される第１バンディング部１０２と，前記主カバー部１０１の他側から下方に向かって突出するように折曲される第２バンディング部１０３を含む。よって，前記第１バンディング部１０２と前記第２バンディング部１０３は前記主カバー部１０１を中心に互いに第１方向（ｘ軸方向，幅方向）の反対側に位置する。また，前記第１バンディング部１０２と前記第２バンディング部１０３は第２方向（ｙ軸方向，長さ方向）に沿って長く延長される。これをより詳細に説明すると，金属瓦１００の第２方向（ｙ軸方向，長さ方向）に長く延長される一側縁を第１端部（end portion）１０４とし，その反対側の縁を第２端部（end portion）１０５とすると，第１バンディング部１０２は第１端部１０４の方に形成され，第２バンディング部１０３は第２端部１０５の方に形成される。よって，前記第１バンディング部１０２は屋根の傾斜面の上側に位置するようになり，前記第２バンディング部１０３は屋根の傾斜面の下側に位置するようになる。また，第１端部１０４と第２端部１０５は第１方向（ｘ軸方向）の両側端に位置するようになる。
【００２１】
第１バンディング部１０２は主カバー部１０１から上部に延長される上下延長部１０２ａと，前記上下延長部１０２ａから水平に延長される水平延長部１０２ｂを含む。ここで，水平延長部１０２ｂは前記上下延長部１０２ａに略直交して延長されてもよく，上下延長部１０２ａと所定角度を有して斜めに延長されてもよい。前記上下延長部１０２ａ及び水平延長部１０２ｂは全て第２方向（長さ方向，ｙ軸方向）に長く延長される。一方，前記上下延長部１０２ａと前記水平延長部１０２ｂは複数個備えられてもよい。
【００２２】
一方，金属瓦１００は第２方向（長さ方向，ｙ軸方向）の両側縁に備えられる重畳部１０９を含む。重畳部１０９は長さ方向端部（end），つまり，第３端部１０７及び第４端部１０８それぞれから所定長さ（ｄ）だけ反対側の端部に向かって延長される部分である。重畳部１０９はいずれか一つの金属瓦１００と第２方向（長さ方向）に隣接した金属瓦１００と重畳されて配置される部分である。
【００２３】
一方，金属瓦１００は電線通過部１０４を更に含む。前記電線通過部１０４は融雪瓦を施工する際，後述するコネクティング部２２０の内部ケーブル２２３が通過する部分である。ちなみに，融雪瓦は図９ａ乃至図１１に示すように瓦桟（Batten）４００の上に固定されてもよく，図１３乃至図１５に示すように瓦桟４００なしに屋根面に固定されてもよい。
【００２４】
複数の融雪瓦が瓦桟４００に固定される際，図１０ａ乃至図１１に示すように，それぞれの融雪瓦の発熱部が第１方向（ｘ軸方向）に電気的に接続されるとすると，発熱部２００の内部ケーブルが第１バンディング１０２及び／又は第２バンディング部１０３と瓦桟４００の間を通過すべきである。
【００２５】
この際，金属瓦１００に電線通過部１０４が形成されると，ケーブルが押される量を減らせられるか，全く押されなくなる。電線通過部１０４は第１バンディング部１０２又は第２バンディング部１０３のうち少なくともいずれか一つ以上に形成される。また，主カバー部１０１に形成されてもよい。
【００２６】
例えば，前記電線通過部１０４は前記第１バンディング部１０２に形成される第１電線通過部１０４ａと，前記第２バンディング部１０３に形成される第２電線通過部１０４ｂを含む。
【００２７】
前記第１電線通過部１０４ａは水平延長部１０２ｂの一部が上部に突出されて瓦桟４００の上面と離隔される形状を有する。また，上下延長部１０２ａの一部が瓦桟４００の反対側に突出されて瓦桟４００の一側面と離隔される形状を有してもよい。前記第１電線通過部１０４ａは上下延長部１０２ａ又は水平延長部１０２ｂのうちいずれか一つにのみ形成されてもよく，両方共に形成されてもよい。一方，後述するコネクティング部２００のケーブルが押されても構わなければ，電線通過部１０４が形成されなくてもよい。
【００２８】
一方，電線通過部１０４が第２バンディング部１０３に形成される場合，つまり，第２電線通過部１０４ｂの場合，瓦桟４００から遠くなる方向に突出されて，瓦桟４００の一側面との間が離隔されるように形成されてもよい。
【００２９】
前記電線通過部１０４が第１バンディング部１０２及び第２バンディング部１０３にそれぞれ形成される場合，施工の際に第１バンディング部１０２に形成された電線通過部１０４と第２バンディング部１０３に形成された電線通過部１０４が互いに重畳するように形成されてもよい。つまり，いずれか一つの融雪瓦の第１バンディング部１０２に形成された電線通過部１０４と隣接した他の一つの融雪瓦の第２バンディング部１０３に形成された電線通過部１０４が互いに重なって，重畳された２つの融雪瓦間の滑りを防止する機能をしてもよい。
【００３０】
また，前記第２電線通過部１０４ｂの下端は上部に凹んだ形状を有するよう，一部が上部に上がった形状を有してもよい。複数の融雪瓦が設置される場合，いずれか一つの融雪瓦の第１バンディング部１０２と第１方向に隣接配置される他の一つの融雪瓦の第２バンディング部１０３が互いに重畳されるが，この際，凹んで形成された部分に隣接した融雪瓦の第１電線通過部１０４ａが挿入されるようになる。
【００３１】
一方，前記電線通過部１０４は第１方向（ｘ軸方向）に長く形成されてもよい。また，金属瓦１０１の形状自体が屈曲を有する場合，屈曲した形状の一部を電線通過部として活用してもよい。
【００３２】
一方，第１バンディング部１０２と，主カバー部１０１と，第２バンディング部１０３の全てに電線通過部１０４が形成される場合，第１バンディング部１０２と，主カバー部１０１と，第２バンディング部１０３それぞれに形成される電線通過部は同一線上に整列されてもよく，これとは異なって，それぞれがオフセット（offset）されて配置されてもよい。一方，第１バンディング部１０２に電線通過部が形成される場合，上下延長部１０２ａに形成される電線通過部と水平延長部１０２ｂに形成される水平延長部が同一線上に位置せずにオフセットされてもよく，曲線に曲げられてもよい。
【００３３】
一方，電線通過部１０４は重畳部１０９に形成されてもよい。電線通過部１０４が重畳部１０９に形成されると，２つの融雪瓦が第２方向（長さ方向）に一部が重畳されたまま配置される場合，長さ方向に滑ることを防止することができる。
【００３４】
一方，電線通過部１０４は相対的に非常に大きい面積を有してもよい。例えば，主カバー部１０１又は水平延長部１０２の一部が下方に膨らんで突出された場合，突出されていない部分が瓦桟４００又は屋根面（後述する瓦桟なしの場合）と離隔される場合，離隔された部分全体が電線通過部１０４となり得る。
【００３５】
一方，金属瓦１００は図４に示すように，金属部１１０と，ストーンチップコーティング層１２０を含んでもよい。前記のように，金属瓦１００が主カバー部１０１，第１バンディング部１０２，第２バンディング部１０３，及び電線通過部１０４などを含むということは，金属瓦の折曲された形状を基準にするとそうであるとのことであり，金属瓦１００が金属部１１０及びストーンチップコーティング層１２０を含むということは，断面の構造がそうであるとのことである。
【００３６】
金属部１１０は，耐食性のよい金属を瓦状に成形して形成される。つまり，カバー部と，第１バンディング部と，第２バンディング部を含む瓦状に成形して形成される。ここで，耐食性のよい金属とは，例えば，スチール（steel）ベースにアルミニウム（Ａｌ）及び亜鉛（Ｚｎ）を含むめっき層が結合されたガルバリウム（Galvalume）又はジンカリウム（zincalume）であってもよい。金属瓦１００は屋外に露出されて劣悪な条件下でも変形が発生しないものが好ましいため，耐食性のよい金属を使用することがよい。
【００３７】
ストーンチップコーティング層１２０は金属１１０の上部に備えられる。前記ストーンチップコーティング層１２０は，金属部１１０の上部に取り付けられる多数の自然石の石粉（stone chip）を含む。自然石の石粉は，アクリル系水溶性接着剤によって金属部の上面に取り付けられる。前記自然石の石粉は略０．５mm乃至２mmの直径を有する火山石（volcanic stone）であってもよい。
【００３８】
発熱部（heating part）２００は発熱本体（heating body）２１０と，前記発熱本体から外側に延長されるコネクティング部（connecting part）２２０を含む。
【００３９】
発熱本体２１０は発熱体（heating material）２１１と，前記発熱体２１１の外側を絶縁及び防水可能に包む絶縁及び防水部（insulating and waterproofing part）２１２を含む。前記発熱体２１１はカーボンを含む面状発熱体である。この面状発熱体は，薄いフィルム状のカーボンを含み，カーボンが電気抵抗によって発熱する性質を利用する。しかし，発熱体２１１がカーボンを含む面状発熱体に限定されない。よって，前記発熱体２１１はヒーティングケーブル又はその他の製品であってもよい。
【００４０】
前記絶縁及び防水部２１２は図４のように，前記発熱体２１１の上部及び下部にそれぞれ位置する一つの層が絶縁及び防水機能を全て行うように形成されてもよく，図５のように，前記発熱体２１１の上部及び下部それぞれに複数の層が位置するように形成されてもよい。例えば，第１絶縁及び防水部２１２と第２絶縁及び放水部２１３で形成されてよい。この場合，第１絶縁及び防水部２１２又は第２絶縁及び防水部２１３それぞれがこの絶縁性能又は防水性能のうちいずれか一つ以上の性能を有してもよく，第１絶縁及び防水部２１２又は第２絶縁及び防水部２１３のうちいずれか一つが絶縁及び防水性能を有し，他の一つは保護又は補助する機能を有してもよい。
【００４１】
前記発熱本体２１１は主カバー部１０１の上部又は下部に位置してもよく，好ましくは下部に位置してもよい。また，第２方向（長さ方向）の両端部に位置する重畳部１０９のうち少なくてもいずれか一つ以上とは重ならないように配置される。重畳部の下部にも発熱本体２１１が位置すると，いずれか一つの融雪瓦と隣接した融雪瓦が重畳されて配置される際，２つの融雪瓦間の上下間隔が広がって漏水の原因になる恐れがあるため，２つの融雪瓦が互いに接触して重畳される部分には，その間に発熱本体２１１が位置しないようにする。
【００４２】
コネクティング部２２０は，メスコネクタ２１１と，オスコネクタ２２２と，内部ケーブル２２３を含む。メスコネクタ２１１は内部に空き空間が形成された多角柱状を有し，例えば，略円筒状を有してもよい。オスコネクタ２２２は前記メスコネクタの内部に挿入可能になるように，メスコネクタの形状に対応する形状を有する。よって，前記メスコネクタが中空の円筒状を有すれば，オスコネクタは円柱状を有する。
【００４３】
メスコネクタ２１１は発熱本体２１０の一側に一対が備えられ，オスコネクタ２２２はその反対側に一対が備えられる。しかし，これに限定されることはなく，発熱本体２１０の一側にメスコネクタ２２１一つとオスコネクタ２２２一つが備えられ，他側にメスコネクタ２２１一つとオスコネクタ２２２一つが備えられてもよい。
【００４４】
内部ケーブル２２３は一側が発熱本体２２１に連結される。そして，他側はメスコネクタ２２１及びオスコネクタ２２２が発熱本体２１０に電気的に接続される。ここで，内部ケーブル２２３は融雪瓦の外部に別途に位置するケーブルと区別されるものであって，混同を防ぐために融雪瓦の発熱本体２２１に一端が直接連結されたケーブルを内部ケーブル２２３とし，その他のケーブルを外部ケーブル５００（図１３及び図１４参照）とする。内部又は外部を指さないケーブルは内部ケーブルと外部ケーブルを全て含むと解される。
【００４５】
しかし，コネクティング部２２０が必ずしもメスコネクタ２２１とオスコネクタ２２２を含むべきではなく，オスとメスの区分なく結合可能な他の種類のコネクタを使用してもよい。また，コネクティング部２２０は内部ケーブル２２３のみを含み，メスコネクタ２２１又はオスコネクタ２２２を含まなくてもよい。例えば，コネクティング部２２０が別途の外部ケーブル（図示せず）に連結される場合，外部ケーブルに内部ケーブル２２３が電気的に接続されるコネクタが備えられれば，融雪瓦の製造過程で内部ケーブル２２３にはメスコネクタ２２１又はオスコネクタ２２２が結合されなくてもよい。そして，コネクティング部２００の内部ケーブル２２３は施工段階で，外部ケーブル（図示せず）に備えられたコネクタに結合されてもよい。
【００４６】
一方，コネクティング部２２０は発熱本体２１０の両サイド側にそれぞれ一つずつ備えられる。しかし，図１２に示すように，いずれか一側にのみ，一つ又は複数個が備えられてもよい。
【００４７】
固定部３００は前記発熱部２００を前記金属瓦１００に固定させるものであって，いずれか一つ（single）の手段であってもよく，２つ以上の手段を含むものであってもよい。つまり，固定部は主固定部と副固定部を含んでもよい。
図２に示すように，主固定部３１０は金属瓦の底面に取り付けられる両面テープであってもよい。
【００４８】
図６は，他の形態の固定部３３０が適用された様子を示している。図６は，融雪瓦の底面図である。ここで，固定部３３０は発熱本体２１０の下部に取り付けられる接着シート又はテープである。この際，固定部３３０は上面が接着力を有する。図６には固定部３３０が発熱本体２１０の縁に沿って取り付けられる例が図示されているが，これに限定されることはなく，発熱本体２１０より広い面積を有して発熱本体２１０全体をカバーしてもよい。固定部３３０は一部が発熱本体２１０と取り付けられ，他の一部は金属瓦１００の底面部に取り付けられる。よって，発熱本体２１０が金属瓦１００の底面に堅固に固定される。一方，テープは前記図４に図示されたような，両面テープと共に使用されてもよい。また，固定部３３０が発熱本体２１０より広い面積を有し，全体をカバーする場合，固定部３３０は断熱部を含み，発熱本体２１０の熱が下部に伝達されることを減らして，上部に最大限伝達されるようにする役割をする。
【００４９】
図７及び図８は，また他の形態の固定部３３０が適用された様子を示す図である。図７は融雪瓦の一例を下部から眺めた様子を示しており，図７に示す融雪瓦の分解斜視図である。ここで，固定部３３０は絶縁及び防水部の一部であってもよい。例えば，この発熱部２１１の上下両側に備えられ，一面に接着力を有するシート状であってもよい。これをより詳細に説明すると，絶縁及び防水部２１２は発熱体２１１の上部に位置して下部に接着力を有する上部シート２１２ａと，発熱体２１１の下部に位置して上部に接着力を有する下部シート２１２ｂを含む。
【００５０】
図８を参照すると，下部シート２１２ｂにおいて，発熱体２１１に対応する面積はＡ３であり，上部シート２１２ａに対応する面積はＡ３＋Ａ２であり，上部シート２１２ａと重畳されない面積はＡ１である。
【００５１】
これを更に説明すると，前記上部シート２１２ａの面積（Ａ３＋Ａ２）は発熱体２１１の面積Ａ３よりＡ２だけ広く形成される。よって，前記上部シート２１２ａの枠は発熱体２１１の枠より外側に位置するようになる。そして，下部シート２１２ｂの面積（Ａ３＋Ａ２＋Ａ１）は上部シート２１２ａの面積（Ａ３＋Ａ２）よりＡ１だけ大きく形成される。よって，下部シート２１２ｂの枠は上部シート２１２ａの面積より大きく形成される。そして，下部シート２１２ｂにおいて上部シート２１２ａと重畳されない外郭の面積Ａ１は接着力を有したまま，金属瓦１００の底面に取り付けられる。そして，固定部３４０はこの部分Ａ１を含む。
【００５２】
以下，図９ａ乃至図１４を参照して，本発明の実施例による屋根融雪システム及び融雪瓦の設置方法を説明する。
【００５３】
図９ａ及び図９ｂは，瓦桟４００に複数の融雪瓦を長さ方向（ｙ軸方向）に直列に連結する場合を説明する。
【００５４】
まず，屋根の上に瓦桟４００を複数個設置する。瓦桟４００は木材又は金属材であってもよく，長さ方向に延長される。複数の瓦桟４００は互いに平行に延長される。
【００５５】
融雪瓦１０，１０ａを設置する際には，屋根の傾斜面の下側に位置する瓦桟４００に第２バンディング部１０３が位置し，屋根の傾斜面の上側に位置する瓦桟４００に第１バンディング部１０２が位置するようにする。融雪瓦は瓦桟４００に釘又はスクリューなどを介して固定する。
【００５６】
複数個の融雪瓦のうちいずれか一つの融雪瓦を第１融雪瓦１０とし，他の一つの融雪瓦を第２融雪瓦１０ａとする。
【００５７】
まず，瓦桟４００の上に，第１融雪瓦１０を設置した後，第１融雪瓦１０と長さ方向に隣接する第２融雪瓦１０ａを配置する。この際，第１融雪瓦１０と第２融雪瓦１０ａは長さ方向に所定距離ｄだけ重畳されて配置される。上述したように，重畳される部分には発熱部２００の発熱本体２１０が配置されないため，第１融雪瓦１０と第２融雪瓦１０ａとの間に発熱本体２１０が挟まれて配置されることはない。一方，第２融雪瓦１０ａを瓦桟４００に固定する前に，第１融雪瓦１０のコネクティング部２００と第２融雪瓦１０ａのコネクティング部２００を連結する。この際，それぞれのコネクティング部２００がメスコネクタ２２１とオスコネクタ２２２を含む場合，第１融雪瓦１０のメスコネクタ２２１は第２融雪瓦１０ａのオスコネクタ２２２と連結し，第１融雪瓦１０のオスコネクタ２２２は第２融雪瓦１０ｂのメスコネクタ２２１と連結してもよい。
【００５８】
よって，第１融雪瓦１０と，これと隣接した第２融雪瓦１０ａが電気的に直列に連結される。同じ方式で更に多くの融雪瓦を設置する。
【００５９】
複数の融雪瓦が設置された後，電源を連結すると発熱部２００が発熱し，金属瓦１００に熱が伝達される。金属瓦１００は発熱部２００と接触しているだけでなく，金属素材が有する優秀な熱伝導特性のため，全体の面積が均等に加熱される。
【００６０】
金属瓦１００の加熱温度は雪を溶かす程度であれば十分であるため，天候条件によっては異なり得るが，略５℃〜２０℃程度となる。非常に寒い地域では発熱温度を更に上げてもよい。
【００６１】
図１０ａ及び図１０ｂは発熱部２００を融雪瓦の幅方向（ｘ軸方向）に直列に連結する例を示す図である。
【００６２】
基本的に，瓦桟４００に融雪瓦を固定する方法は上述した図９ａ及び図９ｂを参照した例と同じである。
【００６３】
しかし，図９ａ及び図９ｂでは，いずれか一つの融雪瓦の発熱部を第２方向（長さ方向）に隣接した融雪瓦の発熱部と直列に連結する一方，図１０ａ及び図１０ｂを参照する例では，いずれか一つの融雪瓦との発熱部を第１方向（幅方向）に隣接した融雪瓦の発熱部と直列に連結するという点に差がある。
【００６４】
よって，発熱部２００のコネクティング部２２０は発熱本体２１０の長さ方向の一側に一対が突出される。つまり，発熱本体２１０の長さ方向の方に２つのコネクティング部２２０，つまり，４つのコネクタ４が突出される。
【００６５】
例えば，複数個の融雪瓦のうちいずれか一つを第１融雪瓦１０とし，第１融雪瓦と幅方向に隣接して配置される他の一つの融雪瓦を第２融雪瓦１０ａとする。
【００６６】
第１融雪瓦１０を先に瓦桟４００に固定する。そして，第１融雪瓦１０の２つのコネクタのうち一つは第１融雪瓦１０に形成された電線通過部１０４を介して瓦桟４００を超えて外側に露出される。
【００６７】
一方，第２融雪瓦１０ａの２つのコネクタ２２０のうち一つを露出された第１融雪瓦１０のコネクタ２２０と結合する。次に，第２融雪瓦１０ａを瓦桟に固定する。この際，第２融雪瓦１０ａの２つのコネクタのうち一つは第２融雪瓦１０ａによってカバーされてその下部に位置し，他の一つは第２融雪瓦１０ａの電線通過部１０４を通過して外部に露出される。
【００６８】
一方，２つのコネクティング部２２０のうちいずれか一つは発熱本体２１０の幅方向一側に突出され，他の一つはその反対側に突出される。この場合にも，設置される様子は図１０ａ乃至図１０ｂに示すようである。
【００６９】
一方，融雪瓦の発熱部２００を幅方向に連結するに当たって，図１１に示すような方法で連結することも可能である。いずれか一つの融雪瓦１０のコネクティング部２２０を当該融雪瓦の電線通過部１０４を介して屋根の傾斜面の上部又は下部に移動させるのではなく，融雪瓦の長さ方向外側に引き出し，幅方向に隣接した融雪瓦１０ａのコネクティング部２２０と連結する。次に，長さ方向に隣接配置されるまた他の融雪瓦を配置する際，長さ方向に隣接配置される融雪瓦の電線通過部１０４の下にコネクティング部２２０の内部テーブル２２３が置かれるようにするのである。このような方法によると，いずれか一つの融雪瓦とのコネクティング部と幅方向に隣接した融雪瓦とのコネクティング部を連結する作業がより容易になる。
【００７０】
一方，複数の融雪瓦を設置するに当たって，いずれか一つの発熱部と他の一つの発熱部は図１３及び図１４に示すように，外部ケーブル５００を利用して並列に連結されてもよい。
【００７１】
図１３は外部ケーブル５００が長さ方向に延長された場合を示す図であり，図１４は外部ケーブル５００が幅方向に連結された場合を示す図である。
【００７２】
外部ケーブルには並列連結コネクタ５１０が含まれ，いずれか一つの並列連結コネクタ５１０にはいずれか一つの発熱部２００に備えられる２つのコネクタ２２０が連結される。
【００７３】
図１３を参照すると，第１融雪瓦１０と第２融雪瓦１０ａが，長さ方向に距離ｄだけ重畳されて隣接配置される。この際，第１融雪瓦１０のコネクタは第１融雪瓦１０の長さ方向外側に露出され，いずれか一つの並列連結コネクタ５１０に結合される。
【００７４】
第１融雪瓦１０を設置した後は，第２融雪瓦１０ａを設置する。第２融雪瓦１０ａを設置する際には，電線通過部１０４が第１融雪瓦１０のコネクティング部２２０に対応する位置に置かれるようにする。そして，第２融雪瓦１０ａのコネクタ２２０を他の一つの並列連結コネクタ５１０に連結する。
【００７５】
以下，図１４を参照して，並列連結コネクタ５１０が幅方向に延長される設置例を説明する。第１融雪瓦１０と第２融雪瓦１０ａを幅方向に配置する。この際，それぞれの融雪瓦のコネクタは幅方向外側に露出される。露出されたコネクタ２２０は外部ケーブル５００の並列連結コネクタ５１０に連結される。  
【００７６】
次に，外部ケーブルの上部にまた他の融雪瓦を覆って固定する。この際，外部ケーブル５００は電線通過部１０４を通過するように配置される。
【００７７】
図１５は瓦桟なしに屋根面に施工される瓦桟なし型融雪瓦の施工様子を示す図であり，図１６は瓦桟なし型融雪瓦を下部から眺めた斜視図である。
【００７８】
瓦桟なし型融雪瓦は，瓦桟なし型金属瓦６００の下部に発熱部２００が取り付けられたものである。ここで，瓦桟なし型金属瓦６００は主カバー部６０１と，第１端部側６０５に位置する第１バンディング部６０２と，第２端部側６０６に位置する第２バンディング部６０３を含む。そして，第１バンディング部６０２は上下延長部６０２ａと水平延長部６０２ｂを含む。また，瓦桟なし型融雪瓦も電線通過部６０４を含む。図１乃至図１２を参照して上述した金属瓦に比べると，第１バンディング部６０２の水平延長部６０２ａが幅方向により長く延長されるという点に差があるが，その他の構成は図１乃至図１２を参照して上述した金属瓦と同じであるため，反復した説明は省略する。
【００７９】
また，発熱部２００の構成も同じく図１乃至図１２を参照して上述した例と同じである。
【００８０】
電線通過部６０４は第１バンディング部６０２，第２バンディング部６０３，及び主カバー部６０１のうち少なくともいずれか一つ以上に形成される。特に，瓦桟なし型では，瓦桟なしに第１バンディング部６０２と主カバー部６０１が当たる角部分が直接屋根面に接するため，この角部分の一部が上部に凹んで形成されており，この部分が電線通過部６０４になり得る。
【００８１】
一方，電線通過部６０４が，第１バンディング部６０２と主カバー部６０１が当たる部分で上部に凹んで形成される溝であれば，第２バンディング部６０２の下端はこれに対応するように一部が上部に凹んで形状を有する。しかし，これに限定されることはなく，第２バンディング部の下端がまっすぐに形成されてもよい。
【００８２】
また，第１端部６０５の一部が第２端部６０６の方に後退するように除去されて電線通過部６０４を形成してもよい。
【００８３】
一方，瓦桟なし型融雪瓦を設置する具体的な方法は，融雪瓦を瓦桟に固定せず，屋根面に直接固定するという点を除けば，上述した瓦桟に設置する場合と同じである。
【００８４】
図１７は本発明の他の実施例による融雪瓦を示す図であり，図１８は本発明の他の実施例による融雪瓦を示す底面図であり，図１９は本発明の他の実施例による金属瓦の一部を示す側断面図であり，図２０は本発明の他の実施例による融雪瓦を示す側断面図である。
【００８５】
本発明の一実施例による融雪瓦は，金属瓦７００と，発熱部２００と，固定部３１０を含む。
【００８６】
金属瓦７００は金属を瓦状に成形して形成される。金属瓦７００第１方向（ｘ軸方向）と第２方向（ｙ軸方向）に長く延長される。前記第１方向と前記第２方向は互いに交差する。例えば，互いに直交する。第１方向は幅方向であり，第２方向は長さ方向である。ここで，長さ方向とは金属瓦７００が相対的に長く延長される方向（ｙ軸方向）を意味し，前記幅方向（ｘ軸方向）とは金属瓦７００が相対的に短く延長される前記長さ方向に垂直な方向を意味する。
【００８７】
金属瓦７００は第１方向（ｘ軸方向）の両側端部分（end）に位置する第１端部７０５及び第２端部７０６を含む。また，前記第２方向の両側端部分に位置する第３端部７０７及び第４端部７０８を含む。
【００８８】
また，金属瓦７００は前記第１端部７０５において上下方向に折曲される第１バンディング７０２と，第２端部７０６で上下方向に折曲される第２バンディング部７０３と，前記第１バンディング７０２と前記第２バンディング部７０３の間に位置する主カバー部７０１を含む。
【００８９】
これをより詳細に説明すると，金属瓦７００は相対的に広い面積を有する主カバー部７０１と，前記主カバー部７０１の一側から上方に向かって突出するように折曲される第１バンディング部７０２と，前記主カバー部７０１の他側から下方に向かって突出するように折曲される第２バンディング部７０３を含む。よって，前記第１バンディング部７０２と前記第２バンディング部７０３は前記主カバー部７０１を中心に互いに第１方向（ｘ軸方向，幅方向）の反対側に位置する。また，前記第１バンディング部７０２と前記第２バンディング部７０３は第２方向（ｙ軸方向，長さ方向）に沿って長く延長される。第１バンディング部７０２及び第２バンディング部７０３の形状は特に制限されない。前記図１に示すような形状を有してもよく，図２０に示すような形状を有してもよい。
【００９０】
一方，金属瓦１００は第２方向（長さ方向，ｙ軸方向）の両側縁に備えられる重畳領域を含む。重畳領域は第３端部７０７と，第４端部７０８から内側に所定距離だけ延長される領域に位置する。重畳領域はいずれか一つの金属瓦１００が長さ方向に隣接した金属瓦７００と重畳されて配置される部分である。
【００９１】
金属瓦７００は，自然石の石粉がコーティングされた石粉コーティング層を含む。これは，上述した実施例における金属瓦１００と同じである。
【００９２】
金属瓦７００は発熱部２００を受容するための受容部７０４を更に含む。前記受容部１０４は金属瓦７００の一部が上部又は下部に陥没して形成される。例えば，主カバー部７０１の中央一部が上部又は下部に陥没して形成されてもよい。本実施例では，受容部７０４が下部から上部に陥没する形状を有する例を説明しているが，これに限定されることはない。
【００９３】
前記受容部７０４は２段の段差を有して形成される。よって，受容部７０４はより深く陥没したメイン受容部７０４ａと，前記メイン受容部７０４ａより低い高さに陥没する段差部７０４ｂを含む。前記段差部７０４ｂは前記メイン受容部７０４ａの縁に沿って外側に形成される。前記段差部７０４ｂは前記メイン受容部７０４ａの外側であって，第１端部７０５，第２端部７０６，第３端部７０７，第４端部７０８の全ての方に形成されてもよく，そのうち一部のみに形成されてもよい。
【００９４】
発熱部２００は上述したものと同じであるため同じ図面符号を使用し，反復的な説明は省略する。
【００９５】
本実施例による融雪瓦は蓋部８００を更に含む。蓋８００は受容部７０４の開口部を遮蔽可能に備えられる。よって，前記蓋部８００は前記受容部７０４に対応する形状を有する。前記蓋部８００は前記受容部に受容された発熱部２００を外部から保護する役割をし，発熱部２００が露出又は突出されることで屋根の施工が不便になることを防止する役割をする。
【００９６】
蓋部８００は電線通過部８０１を含む。前記電線通過部８０１は電線が通過するように蓋部８００の一部が切開されて形成される。
【００９７】
固定部３１０は金属瓦７００と蓋部８００を結合する役割をする。前記固定部３１０は，例えば両面テープを含む。しかし，これに限定されることはなく，その他の接着物質であってもよい。
【００９８】
前記固定部３１０は段差部７０４ｂに沿って延長される。よって，前記段差部７０４ｂに対応する蓋部８００の縁の少なくとも一部と，前記段差部７０４ｂの少なくとも一部を取り付ける。
【００９９】
前記蓋部８００の底面は，主カバー部７０１の受容部７０４の外側の少なくとも一部と同じ平面を形成する。よって，底面が滑らかになる。
【０１００】
このような形状の融雪瓦は上述した実施例と同じく，長さ方向に直列に連結されて設置されてもよく，長さ方向に並列に連結されて設置されてもよく，幅方向に直列に連結されて設置されてもよく，幅方向に並列に連結されて設置されてもよい。
【０１０１】
また，金属瓦７００の主カバー部７０１が上部又は下部に窪んで受容部を形成する原理は，他の形状の金属瓦にも適用可能である。つまり，瓦桟あり型及び瓦桟なし型の両方の金属瓦に適用可能である。
【０１０２】
前記のように説明された融雪瓦及び屋根融雪システムは，前記説明された実施例の構成と方法が限定されて適用されるのではなく，前記実施例は多様な変形が行われるように，各実施例の全部又は一部が選択的に組み合わせられて構成されてもよい。
【図１】
2017525874.tif 000003
【図２】
2017525874.tif 000004
【図３】
2017525874.tif 000005
【図４】
2017525874.tif 000006
【図５】
2017525874.tif 000007
【図６】
2017525874.tif 000008
【図７】
2017525874.tif 000009
【図８】
2017525874.tif 000010
【図９ａ】
2017525874.tif 000011
【図９ｂ】
2017525874.tif 000012
【図１０ａ】
2017525874.tif 000013
【図１０ｂ】
2017525874.tif 000014
【図１１】
2017525874.tif 000015
【図１２】
2017525874.tif 000016
【図１３】
2017525874.tif 000017
【図１４】
2017525874.tif 000018
【図１５】
2017525874.tif 000019
【図１６】
2017525874.tif 000020
【図１７】
2017525874.tif 000021
【図１８】
2017525874.tif 000022
【図１９】
2017525874.tif 000023
【図２０】
2017525874.tif 000024
【国際調査報告】
2017525874.tif 000025
2017525874.tif 000026
2017525874.tif 000027
2017525874.tif 000028